(57)【要約】【課題】ユーティリティー関連作業の間、作業者の手を保護するのに使用される手袋様インターフェースを提供する。【解決手段】延出する複数の指部材（10）を有する本体と；この手袋を手に固定するための弾性手支持手段とを具備してなり；上記弾性手支持手段が作業者の手の指および手の平に上記手袋をそれぞれ固定するための指支持手段（4）および手の平支持手段（6）を有することを特徴とする。【選択図】図１
2004528902.tif 000002
【特許請求の範囲】
【請求項１】
ユーティリティー関連作業の間、作業者の手を保護するのに使用される手袋様インターフェースであって、
延出する複数の指部材を有する本体と；
該手袋を手に固定するための弾性手支持手段と；
を具備してなり；
該弾性手支持手段が作業者の手の指および手の平に上記手袋をそれぞれ固定するための指支持手段および手の平支持手段を有する手袋様インターフェース。
【請求項２】
部分的手袋の形態をなしている請求項１記載の手袋様インターフェース。
【請求項３】
開放骨組構造又は格子型構造をなしている請求項1又は２記載の手袋様インターフェース。
【請求項４】
使用時において、着用者の指および着用者の少なくとも1部が覆われ、着用者の手および指の頂部が覆われていない請求項１から３のいずれかに記載の手袋様インターフェース。
【請求項５】
使用時において、該本体が着用者の手の平および指の一部又は全体を覆うようになっている請求項１から４のいずれかに記載の手袋様インターフェース。
【請求項６】
該本体が平坦作業面を提供するよう形成されている請求項１から５のいずれかに記載の手袋様インターフェース。
【請求項７】
該本体は、その可撓性が向上されるように1又はそれ以上の切欠部を有する請求項１から６のいずれかに記載の手袋様インターフェース。
【請求項８】
Ｔ形切欠部が各指部材間の線に沿って該本体の手の平部材に設けられている請求項７記載の手袋様インターフェース。
【請求項９】
各指部材が本体の手の平部材との連結部にて指の長さの端部を定めるよう特長づけられ、曲がるものである請求項１から８のいずれかに記載の手袋様インターフェース。
【請求項１０】
該特徴がダイヤモンド形伸延性部材を含むものである請求項９記載の手袋様インターフェース。
【請求項１１】
1又はそれ以上の指部材が側壁部を有し、これが少なくとも部分的に着用者の指を収納するようになっている請求項１から１０のいずれかに記載の手袋様インターフェース。
【請求項１２】
更に補助的インターフェースを含む請求項１から１１のいずれかに記載の手袋様インターフェース。
【請求項１３】
該指支持手段と、該手の平支持手段の双方がグリップ機能を有する請求項１から１２のいずれかに記載の手袋様インターフェース。
【請求項１４】
該弾性指支持手段が、着用者の指の少なくとも1部の下側に対して手袋を密着保持させるように作用する請求項１から１３のいずれかに記載の手袋様インターフェース。
【請求項１５】
該弾性指支持手段が着用者の指先に対し手袋を密着保持させるように作用する請求項１から１４のいずれかに記載の手袋様インターフェース。
【請求項１６】
該弾性指支持手段が、着用者の指先をぴったりと受理するように成形されたケージ形骨組みからなる請求項１から１５のいずれかに記載の手袋様インターフェース。
【請求項１７】
該弾性指支持手段が、着用者の指と係合するよう成形された狭い通路を画定している請求項１から１６のいずれかに記載の手袋様インターフェース。
【請求項１８】
該弾性指支持手段がバネ仕掛けのクリップ形状をなしている請求項１から１７のいずれかに記載の手袋様インターフェース。
【請求項１９】
該弾性指支持手段が側面又は上面装着突起を有し、これらがベースステーションと係合するように成形されている請求項１から１８のいずれかに記載の手袋様インターフェース。
【請求項２０】
該手の平支持手段が1又はそれ以上の弾性ヨークを有する請求項１から１９のいずれかに記載の手袋様インターフェース。
【請求項２１】
該1又はそれ以上の弾性ヨークがＴ字形のものである請求項２０記載の手袋様インターフェース。
【請求項２２】
各ヨークが水平に延出したアームと脚部とを有する垂直骨幹を含む請求項２０又は２１記載の手袋様インターフェース。
【請求項２３】
各ヨークが２対の独立したアームを含み、各対は対応する垂直骨幹上に装着される請求項２０から２２のいずれかに記載の手袋様インターフェース。
【請求項２４】
２又は３つの弾性手の平支持手段を有し、そのそれぞれが一対の独立したアームを有する請求項１から２３のいずれかに記載の手袋様インターフェース。
【請求項２５】
該弾性指支持手段および／又は弾性手の平支持手段がバネ仕掛けスチールワイヤー又は成形プラスチックからなるものである請求項１から２４のいずれかに記載の手袋様インターフェース。
【請求項２６】
各指部材が少なくとも１つの実質的にＶ形の切欠部を有し、これがその下面を横切るようにして形成されている請求項１から２５のいずれかに記載の手袋様インターフェース。
【請求項２７】
各Ｖ形の切欠部の間にブリッジ部材が設けられている請求項２６記載の手袋様インターフェース。
【請求項２８】
半硬質又は硬質材料から形成されている請求項１から２７のいずれかに記載の手袋様インターフェース。
【請求項２９】
更に、1又はそれ以上のユーティリティー用付属品を取着させるための取着手段を有する請求項１から２８のいずれかに記載の手袋様インターフェース。
【請求項３０】
該1又はそれ以上のユーティリティー用付属品が1又はそれ以上の道具からなる請求項２９記載の手袋様インターフェース。
【請求項３１】
該ユーティリティー用付属品が該手袋に対し恒久的に取着可能となっている請求項２９又は３０記載の手袋様インターフェース。
【請求項３２】
該ユーティリティー用付属品が該手袋によって撤回可能に受理し得るものとなっている請求項２９又は３０記載の手袋様インターフェース。
【請求項３３】
該ユーティリティー用付属品が剛毛、突条、フック、毛、スポンジ、皮、繊維パッド、すり磨くもの、研磨剤又はワイヤーウールからなる請求項２９から３２のいずれかに記載の手袋様インターフェース。
【請求項３４】
該ユーティリティー用付属品が真空部材からなる請求項２９から３３のいずれかに記載の手袋様インターフェース。
【請求項３５】
該ユーティリティー用付属品が該指部材の前面および／又は下面および／又は側面に配置されている請求項２９から３４のいずれかに記載の手袋様インターフェース。
【請求項３６】
該ユーティリティー用付属品が該手袋の本体により受理可能となっている請求項２９から３４のいずれかに記載の手袋様インターフェース。
【請求項３７】
液体又は気体を流通させるための流路手段を更に有する請求項１から３６のいずれかに記載の手袋様インターフェース。
【請求項３８】
請求項１から３７のいずれかに記載の手袋様インターフェースと、ひれ部材を有するバーとを具備してなり、該バーを該インターフェースの握りこぶし内で絞ることにより搾り出しを効果的に行うようにした部品キット。
【請求項３９】
請求項１から３７のいずれかに記載の手袋様インターフェースと、そのためのベースステーションとを具備してなり、該手袋様インターフェースの指支持手段の1又はそれ以上に突起が設けられ、これらが該ベースステーションの1又はそれ以上の突起受理部材と係合するようにした部品キット。
【請求項４０】
該ベースステーションの1又はそれ以上の突起受理部材のそれぞれが一対の湾曲した装着レールを有する該請求項３９記載の部品キット。
【請求項４１】
請求項１から３７のいずれかに記載の手袋様インターフェースと、そのためのベースステーションとを具備してなり、該手袋様インターフェースの指支持手段の1又はそれ以上が可撓性ケージの形のものであり、これらが該ベースステーションの1又はそれ以上のケージ開口部材と係合するようになっていて、各可撓性ケージが該ベースステーションのケージ開口部材との相互作用により曲げられて開口するようになっている部品キット。
【発明の詳細な説明】
【技術分野】
【０００１】
本発明はユーティリティー手袋に係わり、特に、ユーティリティー又は道具付属部品、特にクリーニングおよびグルーミング目的での使用に適した付属部品を受理するための手袋に関する。
【背景技術】
【０００２】
現在入手できるクリーニング用道具の殆どは、独立したインターフェース（接続部）、例えば一般的剛毛ブラシのハンドル部（柄部）を作業者が直接保持するようにしている。このような場合、作業者の手は仕事の間、全く保護されない状態におかれる。更に作業者の手、特に作業者の指の先天的器用さが失われる。
【発明の開示】
【発明が解決しようとする課題】
【０００３】
本発明の１つの目的は、種々のユーティリティー関連作業（例えば、クリーニング、グルーミングなど）を行う間において作業者の手を保護することができる手袋様（すなわち、手に嵌めることができる）手−ユーティリティー作業インターフェース（接続部）を提供することである。
【０００４】
本発明の他の目的は、着用者の手の器用さをそのまま利用することを可能にすることができる手袋様インターフェースであって、複雑さの如何を問わず、その物体の表面に係合することが可能な上記インターフェースを提供することである。
【０００５】
本発明の更なる目的は、手袋様インターフェースを提供することであって、例えば、この手袋様インターフェースから液体を搾り出すためなどに手を握ることが可能で、しかも着用者に不快感を与えることのないようなものを提供することである。
【０００６】
本発明の更なる目的は、手袋様インターフェースを提供することであって、手のサイズや指の長さが異なっていても使用することができるようにしたものを提供することである。
【課題を解決するための手段】
【０００７】
（発明の概要）
本発明は、１つの形態として、ユーティリティー関連作業の間、作業者の手を保護するのに使用される手袋様インターフェースを提供するものであって、延出する複数の指部材を有する本体と；該手袋を手に固定するための弾性手支持手段とを具備してなり；該弾性手支持手段が作業者の手の指および手の平に上記手袋をそれぞれ固定するための指支持手段および手の平支持手段を有する。
【０００８】
本明細書中、“手袋様インターフェース（又は単に‘手袋’）”の用語は、装着可能な骨組み、装置又は機械であって、種々のユーティリティー関連作業（例えば、クリーニング、グルーミングなど）を行う間において作業者の手の少なくとも1部を保護するようにしたものを意味する。この‘手袋’は作業者の手と、ユーティリティー作業媒体との間にインターフェースを提供するものであり、このユーティリティー作業媒体は具体的形態として、ユーティリティー関連作業を行う際に使用されるユーティリティー作業器具又はユーティリティー作業媒体（例えば、クリーニング作業媒体、研磨作業媒体など）を含むものである。
【０００９】
更に、具体的形態として、この手袋は手に対し最大の心地良さを与えると共に、手によりカバーされる作業領域およびクリーニング作業の効率を最大にするように図られている。
好ましくは、この手袋は種々のサイズの着用者の手に対し使用可能に構成される。
【００１０】
更に、一形態として、この手袋はフルサイズのものである（すなわち、手および指が全て覆われるようになっている）。
【００１１】
他の形態として、この手袋は部分的サイズのものである（すなわち、手および指の少なくとも1部が覆われないようになっている）。この形態は手袋が開放的骨組み又は格子型構造の場合に見られるであろう。
【００１２】
好ましくは、この手袋様インターフェースは使用時において、着用者の指および着用者の手の平の少なくとも一部を覆うが、着用者の手および指の上面部は覆われない状態にする。このような形態により手および指の動きが容易になり、実用性を向上させることができる。
【００１３】
他の具体例として、この手袋様インターフェースは使用者が片手操作で装着し得るよう構成され、それにより使用者による“ピックアップ”の容易さおよび速度を向上させることができる。これは従来の殆どの手袋が、その装着操作において両手操作を要するのと対照的である。
【００１４】
この手袋様インターフェースは使用時において、通常、着用者の手の平および指の一部又は全てを覆うような本体を備えている。この本体には複数（例えば、4本）の指部材がそこから延出するようにして設けられている。具体的形態として、更に親指部材を設けてもよい。
【００１５】
この本体は基本的に２つの機能を有する。第1に、ユーティリティー関連作業を行っている間において作業者の手を保護する。第2に、手によりユーティリティー作業媒体を適用する際の支持体を提供する。
【００１６】
好ましくは、この本体はユーティリティー作業媒体に対し厳格な支持を与えるが、手の動きおよび器用さに対しては全面的に順応性を有する。一形態において、この本体はユーティリティー作業付属部品を強固の装着させる。
【００１７】
好ましくは、この本体は均一な表面、例えば平坦な加工表面（例えば、ユーティリティー表面）を与えるように形成される。これは作業者の手の手袋を嵌めていない手の平および指の下面により提供される非均一の丸味形状の加工表面とは対照的である。
【００１８】
他の形態として、この本体は手袋の全面的可撓性が改良されるよう形成される。更に他の形態として、この本体の手の平保護部は種々のパターンを以って成形および／又はカットされる。一形態において、各指間の線に沿って手の平内に深く割れ目が形成されていて、装着される手のサイズに関係なく横方向の最大の可撓性が得られるようになっている。この割れ線は“Ｔ”形で終わっており、これにより横方向の可撓性が更に向上されている。
【００１９】
一形態として、指部材は手の平との連結部にて指の長さの端部を定めるよう特徴づけられており、これは適宜、骨組みの横方向の器用さを向上させるものであってもよい。好ましくは、この特徴はダイヤモンド形伸延性部材を含むものである。
【００２０】
一形態として、指部材は側壁部を有し、これが少なくとも部分的に指を収納するようになっている。実施例では指支持手段の部材によりこの側壁部が指を支持するよう想定されているが、この側壁部は必ずしも指支持機能を有するものである必要はない。
【００２１】
一形態として、この手袋は、指により容易に到達することができる手の平部分のみを覆うように設計されている。その結果、この手袋が吸収力のある媒体を具備する場合、単に握りこぶしの握りにより効果的に搾り出しが行える機能が与えられることになる。
【００２２】
この手袋は、適宜、補助的インターフェース、例えば可撓性裏当てシート様形状のものを有していてもよい。この補助的インターフェースは、作業者の手の適用範囲を向上させるような形状およびサイズのものであってもよい。この補助的インターフェースは更に、手袋への取付けのための取付け手段（例えば、スナップ嵌め込み形状）を備えていてもよい。
【００２３】
好ましくは、この手袋様インターフェースは着用者の手の全てのサイズに共通する部材と係合するようにアレンジされる。織物の弾性に依存することなく、この手袋様インターフェースは全ての成人の手のサイズの多く（例えば、９０％以上）に係合するように形成されている。従来の手袋の形がこのサイズの変化に対し異なる種々のサイズのものを用意することにより、又は伸縮性織物を使用することにより補っているのに対し、本発明のこの手袋様インターフェースは弾性手支持手段により着用者の手に手袋を固定することによりこのサイズの変化に対応している。
【００２４】
この弾性手支持手段は指支持手段と、手の平支持手段とを双方からなり、それぞれが手袋を着用者の手の指部分および手の平部分に対し手袋を固定するようになっている。この支持は具体的にはグリップ（握り）機能（すなわち、指のグリップ手段および／又は手の平のグリップ手段）を有するものからなる。好ましくは、この手袋は各指部材に指支持手段が設けられている。
【００２５】
この弾性指支持手段は、着用者の指の少なくとも1部の下側に対して手袋をしっかりと保持させるように作用する。好ましくは、これにより手袋を指から下方に垂れ下がる傾向を防止する。或る形態においては、この弾性指支持手段は着用者の指先に対し手袋をしっかりと保持させるようにも作用させる。
【００２６】
この弾性指支持手段が弾性である場合、それを指の太さに対し調整することができ、従って、異なる長さおよびサイズの指に適合させることができる。この弾性はこの支持手段の構成材料からもたらされるもの（すなわち、材料自体が弾性のもの）、又はその支持手段の構造／配置、例えば遊び又はバネからもたらされるものであってもよい。
【００２７】
一形態として、この弾性指支持手段は、着用者の指先をぴったりと受理するように成形されたケージ形骨組み（例えばハウジング）からなる。このケージは着用者の指のつめのための十分な空間を提供するものである。
【００２８】
他の形態として、この弾性指支持手段は、着用者の指と係合するよう成形された狭い通路を画定するようになっている。好ましくは、この狭窄部は弾性を有し、指の第1関節がこの狭窄部を過ぎた通路にて圧迫されるようにする。この場合、この弾性指支持手段は一般的に、着用者の指の第１関節および第２関節との間で着用者の指を固定する。
【００２９】
一形態として、この弾性指支持手段は、バネ仕掛けのクリップ形状をなしていて、それ自体が指の通路を狭窄するよう作用するようになっている。
【００３０】
他の形態として、この通路は指をその第１関節と第２関節との間で上面および側面から把持するための複数のグリップを有する側壁を具備し、それにより上記骨組みを各指に固定するようになっている。好ましくは、これらのグリップが側壁に対して作用する部位に、側壁の内面が内側に向けて膨らんでいて、指の自然の形状を把持しやすいようになっている。好ましくは、これらの膨らんだ形状に“鋸歯”形状が設けられていて、指を更に確実に把持し得るようにする。
【００３１】
一形態として、この指グリップ部には側面又は上面突起が設けられ、これらはベースステーション（後述する）と係合するように成形されている。
【００３２】
上述の手の平支持手段はここでは手袋本体（例えば、手の平保護部）を支持し、それを着用者の手の下側に対ししっかりと保持させる。好ましくは、この手の平支持手段は手袋本体を着用者の指および／又は手の平の基底に固定させる。
【００３３】
好ましくは、上述の手の平支持手段は1又はそれ以上の弾性ヨークの形状とする。これらヨークは着用者の指間の結合部（すなわち、第１と第２、第３と第３、第３と第４の指間の結合部）で受理するように形成される。
【００３４】
好ましくは、これらヨークは全ての手に対し共通する自然のテーパー形状と適合するように形成される。ヨークの弾力性は、繰り返して種々のサイズを収容でき、適合させることができる。
【００３５】
好ましくは、1又はそれ以上のヨークはＴ形を有する。特に、各ヨークは水平に延出したアームと脚部とを有する垂直骨幹を含む。使用時において、Ｔ形ヨークは着用者の隣接する指間に嵌合するようになっている。
【００３６】
一形態として、各ヨークは２対の独立したアームを含み、各対は対応する垂直骨幹上に装着される。この形状によって、より大きい動きの自由度が可能になる。
【００３７】
好ましくは、大きい手で使用するとき、ヨークの垂直骨幹が大きい手の指と手の平との結合部の前方に位置することになり、従って、より小さい手の短い指は、この指支持手段と完全に係合することになる。
【００３８】
好ましくは、この手袋は２又は３つの弾性手の平支持手段（例えば、ヨーク）を有し、そのそれぞれが一対の独立したアームを有するものとする。
実施形態として、弾性指支持手段および／又は弾性手の平支持手段はバネ仕掛けスチールワイヤー又は成形プラスチック（例えば、射出成形）からなるものであってもよい。
【００３９】
一形態として、手袋が更に、少なくとも１つの実質的にＶ形の切欠部を有し、これが手袋の下面、好ましくは指部材の下面を横切るようにして形成されていてもよい。手袋部材の可撓性と、Ｖ形切欠部の存在との組合せにより、手袋を容易に折り畳むことが可能となる。例えば、着用者がこぶしを握ることにより、例えば手袋から液体を容易に搾り出すことができる。
【００４０】
好ましくは、各Ｖ形切欠部の間にブリッジ部材が設けられるようにする。各ブリッジ部材は各指部材の下面にてユーティリティー付属品のための支持部を形成する。手を握り締めて握りこぶしを形成させたとき、これらブリッジ部の組合せ長さは指部材が曲げられて短縮させたときの下面の長さにほぼ等しくなる。すなわち、例えば、握りこぶし内での手袋材料の膨らみはない。
【００４１】
好ましくは、1以上の実質的にＶ形の切欠部を各指部材の下面を横切るようにしてこの手袋に形成する。好ましくは、複数の実質的にＶ形の切欠部を各指部材の下面を横切るようにしてこの手袋に形成する。一般に、各Ｖ形切欠部はブリッジ部により分離される。
【００４２】
補足的観点として、手袋の下面におけるＶ形切欠部の存在は異なる手のサイズに対する適合性を容易にする。なぜならば、この切欠部により指部材がより可撓性となり、幅広の指がそれを容易に置き換えることができるからである。
【００４３】
好ましくは、この手袋は半硬質又は硬質の材料から作られる。具体例として、射出成形に適したポリマー材料が好適なものと言える。
好ましくは、この手袋の一部を繊維および／又は複合材料を用いて構築させる。
【００４４】
好ましくは、この手袋には更に、1又はそれ以上のユーティリティー付属品を受理する手段が設けられる。なお、ここで“ユーティリティー付属品”とは有益な機能を有する付属品を意味している。例えば、ユーティリティー付属品は任意の有益な目的のための道具の形態のものであってもよい。
【００４５】
適当な目的としては、クリーニング；グルーミング；サンダー仕上げ、塗装、成形、整形などのＤＩＹ目的、医療目的；例えばベッド入浴などの患者のケア；関節炎およびその他の手の病気に対する医療的援助;遠隔管理操作を含む外科的適用；指間の水かき、スピード水泳（すなわち、ハンドフリッパー）を含むスポーツ目的；洗浄、研磨、レザリング（leathering）、内部クリーニングを含む自動車のケア；皮膚削り、マッサージ、オイル／ローションの適用などの健康および美容目的；植物ケア、ハウスプラントの葉のクリーニング／処置などのガーデニング；靴およびブーツの磨き；窓クリーニング；身体検査などのための電子的手段を用いた形式を含むセキュリティー目的；爆弾処理および地雷除去における安全確保のための電子的手段を運ぶバージョン（versions）などの軍事的用途；家庭教師により行われる手作業の細部を学生が明瞭に見ることができるようにマイクロカメラを有するバージョン；ヒトおよび動物のグルーミングなどが含まれる。この手袋様構造体は、手により操作されるあらゆる作業において極めて有用性が大きい。
【００４６】
このユーティリティー付属品は手袋に対し、恒久的に取着されるものでも、あるいは手袋によって撤回可能に受理し得るものでもよい。例えば、この手袋様インターフェースおよびユーティリティー付属品は互いに係合する部材として形成してもよく、この場合、ユーティリティー付属品は交換可能および／又は置換可能なものとする。
【００４７】
このユーティリティー付属品は剛毛、突条、フック、毛、スポンジ、皮、繊維パッド、すり磨くもの、研磨剤又はワイヤーウールであってもよい。
このユーティリティー付属品は更に真空部材であってもよい。
【００４８】
ユーティリティー付属品を受理する手段は、指部材の前面および／又は下面および／又は側面に配置されていてもよい。
一形態として、この手袋はその本体によりユーティリティー用付属品を受理可能とする手段を有するものであってもよい。
【００４９】
ユーティリティー付属品を受理する手段は、1又はそれ以上の円形窪みからなるものであってもよい。これらはクリーニング媒体を位置決めさせ、例えば剛毛の束のための収まり部を提供するものである。
【００５０】
ユーティリティー付属品を受理する手段は、ユーティリティー付属品の配置された雄ソケットを受理するための雌ソケットを少なくとも1つ有するものからなっていてもよい。
【００５１】
1つの真空の適用例において、弾性“フィッシュテイル”ノズルを手袋の下側に取着させる。そこから非常に軽量のホースを後方に導き、手首の下および手首と肘との間の中間部で腕を超えて延びたループ又はフックにより支持する。好ましくは、可撓性膜が手袋の下側を覆うようにし、指相互間で真空のロスを生じさせることなく指が広げられるようにする。更にこの可撓性膜を延出させ、剛毛の外側に位置し、手の平の外側の周りおよび人差し指および小指の外側を行きわたる“スカート”を形成させる。この場合、吸引のロスを防止し、真空が指先剛毛の下で得られるようにする。この特別の道具の剛毛部分は、剛毛が各指の側面および手袋の外側を囲んでライニングされた可撓性薄膜の形態と成っている。ついで、真空が各指の下および手の平のほぼ周りの剛毛“通路”を下がって引かれることになる。
【００５２】
他の形態において、この手袋は、道具として液体および気体を使用する手段を含む。これら液体および気体は着脱自在な媒体を介して流出、流入される。これら気体および／又は液体を分配する貯蔵部を更に、一体的なもの或いは別体のものとして組み込んでもよい。これらは請求項に記載した発明の要旨のものと接続される。
1具体例として、ユーティリティー付属品はこの手袋に恒久的に取着される。
他の具体例として、ユーティリティー付属品は着脱自在および／又は交換自在とすることができる。
【００５３】
一形態において、この手袋および／又はユーティリティー付属品は電気的および／又は電子的機能を有する。1例として、別体のユーティリティー付属品としてではなく、手袋様インターフェース自体がこれら電気的又は電子的要素を組み込むよう形成されている。
【００５４】
特別な例において、手袋様付属物がコンピュータマウスの機能を果すようにしてもよい。他の例において、一対の手袋が従来のコンピュータのマウスおよびキーボードの双方を置換するように作用する。このような例において、キーボードはデスク又は他の表面に対する単なる突起となり得る。
【００５５】
１具体例において、この手袋の形態は“丸いひれ付バー”と係合することを意図している。このバーをこの手袋の握りこぶし内で締め付けることにより吸収力のあるクリーニング媒体の搾り出しが行われる。これにより手袋内／上のデトリタス（堆積物）および液体がひれ間の通路に沿って降下し、効果的に排除される。具体例として、このバーはそのような絞り出しにより殺菌剤を解放させるようにアレンジすることもできる。これは製品の洗浄能力をより向上させるのに利用することができる。
【００５６】
他の形態として、本発明は上述のように定義した手袋のためのハウジングを提供するもので、このハウジングは上記指部材を受理するための複数の指用チャンネルを具備してなる。
【００５７】
好ましくは、これら指用チャンネルはテーパーをなし、手袋をその位置に置き、上記指支持手段を強制的に開口させる。この具体例では、使用者は手を手袋内に容易に挿入させることができる。この手をこのハウジングから引き上げることにより、手袋が直ちにその手に固定される。すなわち、指支持手段が手の指の周りに締め付けられるからである。
【００５８】
典型的には、この手袋はその材料と指支持手段の弾性力との間の摩擦力によりハウジング内に保持される。
好ましくは、このハウジングは壁面が適宜装着されていて、あらゆる作動表面がガタつかないように図られる。
【００５９】
好ましくは、このハウジングはこの手袋およびそれに取着された任意のユーティリティー付属品を収納するのに十分な深さを有するものとする。
【００６０】
一つの形態において、手袋の指支持手段および／又は手の平支持手段が側面又は上面装着突起を有し、これらがベースステーションと係合するように成形されている。好ましくは、このベースステーションはこの形態において、外側に湾曲した装着用レールを有し、手で骨組体をこのベースステーションに向けて押圧したとき、指グリップが開かれ、指を解放させ、手袋を“パーキング”させる。指を挿入し、上記レールから離れた前方に駆動させることにより、手袋は手と自動的に結合される。
【００６１】
他の形態において、上記ベースステーションは手袋と相互作用を生じるようにアレンジされていて、このベースステーションとの相互作用により指先アッセンブリー全体が開口するようになっている。この例は全てのサイズの指先の効率的グリッピングを可能にするものである。
他の形態として、本発明は、手袋;ハウジング；および上述の手袋と共に使用されるユーティリティー付属品を別々に提供するものである。
他の形態において、本発明は、上述の手袋と共に使用されるユーティリティー付属品のセットを提供するものである。
【００６２】
更に他の形態として、本発明はユーティリティー作業用手袋のための部品のキットを提供するものであり、それは上記定義の手袋と、上記定義のユーティリティー付属品のセットとからなる。所望により、この部品のキットは上記手袋のためのハウジングを更に含むものであってもよい。
【００６３】
他の形態として、本発明はここに記載した手袋と共に使用される指支持手段を提供する。好ましい例としての弾性指支持手段は、着用者の指先を密着、受理する形状のケージ型骨組み（例えば、ハウジング）と；着用者の指と係合する形状の狭窄通路（例えば、ループ又はグリップ手段により形成された）とを具備してなる。
【００６４】
他の形態として、この指支持手段は、指の周りに配置されたループにより手袋様インターフェースに連結されている。これは使用時において、着用者の指のつめのほぼ背後に配置される。これは上記インターフェースとの接続のみを提供するものである。指の後方（手の平側）で、グリッピング“アーム”が上記インターフェースの材料に対し内側に向けて締め付けるが、取着されてはいない。それにより、これら２つの部材間の自由な動きが確保され、指を狭窄することによる不快感を生じさせることなく、握り締めを行うことを可能にする。基本的に、この握り締めにより、指は南北に“より深く“なり、そのため、この時点においてこのアッセンブリーが容易に拡大される必要がある。
【００６５】
指支持手段のケージ型骨組みは、着用者の指のつめのための十分な空間を提供する。通路の狭窄は弾性的特徴を有するもので、指の第１関節が絞られた状態でこの狭窄部を通過しながら通路へ挿入される。この場合、弾性指支持手段が通常、指の第１関節と第２関節との間で着用者の指を固定する。
一つの形態として、この弾性指支持手段はバネ仕掛けのクリップからなり、それ自体が指の通路を狭めるよう作用するものとする。
【００６６】
他の形態として、この通路は指の第1関節と第2関節との間で指を上および側面から把持するための複数のグリップを備え、各指を上記骨組みに固定するようにする。好ましくは、これらのグリップが側壁に対して作用する部位に、側壁の内面が内側に向けて膨らんでいて、指の自然の形状を把持しやすいようになっている。好ましくは、これらの膨らんだ形状に“鋸歯”形状が設けられていて、指を更に確実に把持し得るようにする。
【００６７】
一形態として、この指グリップ部には側面又は上面突起が設けられ、これらはベースステーション（上述したような）と係合するように成形されている。
以下、本発明について図面を参照して詳述する。
【発明を実施するための最良の形態】
【００６８】
図面を参照して説明すると、図1には指グリップ４と、手の平ヨーク６とを具備してなり、これらが一緒になって組立てられた手袋２が示されている。
図２にはこれら指グリップ４と、手の平ヨーク６とを装着する前の射出成形で得られた手袋２が示されている。
【００６９】
手袋２は基本的に部分的手袋の形をしており、使用時において、着用者の４本の指と手の平および各指の先端の下側を覆うようになっている。この手袋は、４本の指状延出部１０を有し、各延出部はシンブル状（指ぬき）末端部１２を有し、指先を収納すると共に、指のつめのための空間を有する。各指先端部１２はユーティリティー作業付属品、例えばクリーニング作業媒体を前面、側面および底面にて適合させる手段を有する。
【００７０】
この手袋２は、やや可撓性を有するプラスチックから成形されたものである。このベース材料の可撓性と、各指状延出部１０を横断するように手袋の下側に形成されたＶ型切欠部８との組合せによりこの手袋２が握りこぶし内に容易に折り畳まれるようになっている。
【００７１】
各Ｖ型切欠部８間には手袋材料のブリッジ部１４があり、これは各指状延出部１０の下面にクリーニング用付属品（図示しない）のための支持部となっている。この握りこぶしがなされたとき、これらブリッジ部１４の組合せ長さは指状延出部１０が曲げられて短縮させたときの下面の長さにほぼ等しくなる。
この例では、指状延出部１０の側壁１６は平均的成人の指の厚みのほぼ半分まで上昇した形状に設計されている。
【００７２】
この手袋のブリッジ部１４および本体１８には円形窪み２０が形成され、クリーニング作業媒体（図示しない）を位置決めする手段を提供している。すなわち、例えば剛毛の束のための収まり部を提供している。このような窪み２０は手袋の本体１８および指状延出部１０を横切る他の場所に組み込んでもよい。
【００７３】
取着されたクリーニング作業媒体の必要な強度および弾性は、射出成形された材料の最も肉厚部２２中に設けられた窪み２０により、指状延出部１０の下で提供されることになる。
【００７４】
この手袋２の本体１８は、手の平部分のみを覆うように設計され、これは指をカールした状態とすることにより快適に近づくことができる。これにより単に握りこぶしを形成するように握り締めることにより吸収力のあるクリーニング作業媒体を効果的に搾り出すことが確実に行われる。好ましくは、本体１８の手の平部分も小さな着用者の手の平のサイズを代表するような寸法とする（すなわち、小さな着用者の手の平を超えることない程度にできるだけ大きくすることができる）。このようにすることにより、手袋の1つのサイズが全ての成人のサイズに適合し得るという利用性に寄与することになる。この媒体の他のタイプのものも手袋の他の部位に、本体１８の周辺および／又は手全体によりカバーされる領域まで延出させて取着させることができる。
【００７５】
特に大きい手との適合を容易にするため、分割ライン２４が各指状延出部１０間に手袋本体１８中にまで深く延びている。
各指状延出部１０の基部には、２つの反対側の切欠部２６が形成されている。これらの切欠部２６は着用者が握りこぶしを形成するのを容易にし、かつ、着用者の異常に長い指と適合させる際の可撓性を提供するものである。
【００７６】
この本体１８には指の線に沿って狭い孔を形成し、本体の折り畳みを容易にし、かつ、本体の異なる形状に対する順応性を補助するようにしてもよい。
この本体１８の背面には２つの孔２８が設けられ、これらはヨーク片６上に摺動させ、それらのフック様性質を手袋の機械洗浄のために排除するようにしてもよい。
【００７７】
図３は指グリップ４を更に説明するためのものである。この指グリップ４は各指状延出部１０に設けられる。
この指グリップ４はバネ仕掛けのスチールワイヤー又は成形されたプラスチックから作られ、手袋が射出成形された後に手袋に嵌合される。２つのアーム３２が合わさる部分の丸くなった部分３０が指上に延び、そのための通路（図示しない）をパシッと形成し得るようになっている。
【００７８】
この丸み部分３０から2本のアーム３２が外側に向けて曲げられている。これらアーム３２は肩部３４において互いに内側に向けて押圧されている。したがって、各アームの末端、すなわちグリップ部３６は強制的に離れるようになっていて、それにより、大きい手の第１指関節でも容易にそこを通過し得るようになっている。
【００７９】
肩部３４に対する内側方向の圧力が解放されたとき、グリップ４は偏り、その当初の位置を取り続け、指の側面に向けての内側へのグリップ圧力が働くようになっている。
手袋２の側壁１６に対し圧力が作用したとき、指グリップ４が指を快適に把持することになる。
【００８０】
このグリップ作用は通常、指の第１関節と第２関節との間でなされる。指のこの位置は不快を生じさせることなくかなり大きい圧力を働かせることができる。
このグリップ位置は手のサイズが異なることにより変化する。小さな手の場合、このグリップ位置は第１関節および第２関節に対し多少、中央部となるが、大きい手の場合は、このグリップ位置は第１関節の丁度、後側にくる。
【００８１】
指グリップ４の側面から、アーム３２のグリップ位置が傾斜していることが示されており、それにより指が対角線状に把持されることになる。この特徴により、作業者が不快を感じることなく吸収力のある媒体を搾り出すために握りこぶしを形成することが可能となる。この対角線状グリップは更に、握る際の力の効率を高め、かつ、幅広い種々の指のサイズに適応する機能を持たせるのに役立っている。
【００８２】
図４は手の平支持手段又はヨーク６を説明している。このヨーク６の機能は手袋２の主要部を支持し、それを着用者の手の下側に対してしっかりと保持させることである。
このヨーク６はバネ仕掛けのスチールワイヤー又は成形されたプラスチックから作られ、手袋が射出成形された後に手袋に嵌合される。このヨーク６は手袋の下側に形成された窪み（図示しない）内に嵌合され、人差し指と、その隣接する指との間にて上方に突出している。もう１つのヨークが同じく第３指と第４指との間にて上方に突出している。
【００８３】
他の実施例として、３個のヨークを用いてもよい。すなわち、それぞれが隣接する２つの指の間にて上方に突出させる。その他の例として、このヨークの１又はそれ以上を手袋材料のループで置き換えることもできる。この手袋材料のループは手の平の全体を囲むように延びていてもよい。
【００８４】
各ヨークに設けられた下降する平行ワイヤー６ａが使用位置で示されており、この場合、これらは互いに接触している（すなわち、それらの記憶形状に抗してワイヤーが互いに押圧されている）。不使用の位置において、これらの下降平行ワイヤーは離れていて、その最も狭い頂部で狭いギャップ（例えば、２／３ｍｍ）を形成し、降下するに従って極めて僅かながら分れるようになっている。
【００８５】
図１に示す側面図において、ヨーク６が指先方向に向けてテーパーをなしていることが分かるであろう。このテーパー形状は手のサイズの如何に関係なく良好な支持がなされるよう設計されたものである。着用者の指先が手袋内に密着して挿入されたとき、小さな手の指間の水かき皮膚部がこのテーパーの最も狭い部分と接触することになる。大きい手の場合、このヨークの部分と水かき皮膚部との間に隙間が生じるであろう。したがって、小さな手は大きい手よりもテーパーに対して深く前進させることができる。
【００８６】
異なるサイズの手と適合するための手袋のヨークの有用性についての更なる形態を以下に説明する。
断面において、着用者の指それ自体がテーパーをなしている。長さにおいても、着用者の指はテーパーをなしている。太さにおいても、手および指は手首から指先にかけてテーパーを形成している。本発明の手袋はこの共通性を利用したものであり、小さな手は大きい手と比較して手袋のテーパー形状内により深く前進することを可能にし、それにより手のサイズの如何を問わず指先が常に手袋の指先に到達し得るようにしている。
【００８７】
ここに記載した手袋は、従来の手袋において、手本体と結合する指の間部分に設けられているストッパー物質を除去することにより、小さな手の指先が手袋の指先に容易に到達し得る自由度を与えるものである。このストッパー物質を除去しているため（従って、指を囲むようにしたストッパーにより提供されていた支持部を失っている）、本発明の手袋では、代わりの支持部材として、ここに記載したヨークが提供されている。
このヨークのテーパーはその先端が十分に前方に延出するように設定されていて、短い指でも手袋の指先まで到達し得るようになっている。
【００８８】
これらのヨークは手のテーパー形状を利用している。小さな手は、指が手本体と結合する点の深さがより小さくなっている。そのため、ヨークはその最先端が下方に向けてテーパーをなし、小さな手がぴったりと嵌合し得るようになっている。これに対し、ヨークのテーパーのより広い頂部では大きい手の可なり深い部分とぴったりと嵌合し得るようになっている。これらの両極端間のテーパーにより、その中間のサイズの手の全てに対しても適合させることが可能になる。
【００８９】
このヨークは、最も低い点に降下した後、手の平に向けて戻り、その後、インターフェースとの接続がなされる。この戻りによりインターフェースとの接続が大きい手の指と手の平との連結部の下方でなされることになり、手の器用さは全く阻害されない。これに対し、小さな手の場合、この接続は手の平の若干、下方でなされ、そこも手の器用さは邪魔されない。
【００９０】
図面に戻って説明すると、図５にはハウジング３８が示されている。このハウジング３８は４個の指チャンネル４０を有し、そのそれぞれが手袋２の指状延出部のそれぞれのためのものである。指チャンネル４０は頂部に向けてテーパーをなしている。このハウジング３８は２つの機能を有する。第１に、手袋のための貯蔵場所を提供する。更に、手袋２の着用者への装着を容易にする。すなわち、このハウジング内に置いたまま、各指グリップ４の肩部３４をテーパー状の指チャンネル４０内にて収縮させてグリップ４を強制的に開口状態にし、指の指状延出部１０への挿入を容易にする。
【００９１】
図6ａないし6ｃは他の例に係わる手袋102を示し、図6ｄは図6ａないし6ｃの手袋で使用するのに適した手の平支持手段106ａおよび106ｂを示している。手袋102の各指部110a−116dにはケージ型の指グリップ104a−104dが設けられている。これら指グリップ104a−104dはそれぞれ、着用者の指の末端を囲み、シンブル状（指ぬき）末端部112a−112dを有する。手袋102の各指部110a−116dには更に、内側にテーパー状をなす狭窄部105a−105dが形成され、これらは指先ケージ104a−104dの最前部より下に配置されており、これらは使用時において着用者の指の第１関節の下にほぼ合致する。この指先ケージ104a−dのグリップ部分（すなわち、狭窄部105a−dに作用する部分）は図6aに示すように突起148に対し内側にある。このグリップ点は着用者の手のサイズにより異なる。小さな手の場合、狭窄部105a−105dは第１関節および第２関節に対し多少、中央部となるが、大きい手の場合は、狭窄部105a−105dは第１関節の丁度、後側にくる。使用時において、指グリップ骨組み104a−104dおよび狭窄部105a−105dが着用者の指を手袋内に保持するよう作用することが理解されよう。
【００９２】
手袋102は更に、Ｔ形ヨーク106aおよび106bを備え、そのそれぞれがグリップアーム132a,132bおよび132c，132d（図6aにアウトラインが示されている）の対を有している。このＴ形ヨーク106aおよび106bの形状は図6dに明瞭に示されていて、これから各グリップアーム132a−132dが独立して動作可能になっていることが理解できよう。事実、各ヨーク106aおよび106bは、２つの別々のアーム132a,132cおよび132b，132d;骨幹134a,134cおよび134b，134d;およびベース部材136a,136cおよび136b，136dを有している。使用時において、これらヨーク106aおよび106bはそれぞれ着用者の第１および第２指間、更に第３および第４指間の節と係合するようになっている。
【００９３】
縦に並んで、指グリップ104a−104dおよびＴ形ヨーク106aおよび106bが手袋を着用者の手に保持させる手段を形成している。これらの部材のそれぞれの独立した可動性は、翻って、着用者の手および指の動きを妨害することなく、着用者の手の平および指の双方を保護する手袋の機能に寄与するものである。
【００９４】
手袋102の下面ベース101は可撓性で、弾性を有する材料（例えば、発泡体）から形成される。このベース101はその可撓性を向上させるため、種々の形状的特徴を備えることができる。それらには、長手方向切欠部140（明確にするため、１つのみ符号を記す）をベース101の手の平部に形成したもの；ダイヤモンド形伸張性部分（１つのみ符号を記す）を各指部110a−110dの手の平側端部に形成し、異常に長い着用者の指に適合する可撓性を付与したもの；Ｖ字形の切欠部114（１つのみ符号を記す）を手袋102の各指部110a−110dの下側を横断する方向に設けて指の動きを容易にするものなどが含まれる。
【００９５】
手袋102のベース101には指部110a−110dにて、傾斜した剛毛ストック（stocks）144（明確にするため、１つのみ符号を記す）が設けられている。他の例として、上述のように種々のユーティリティー作業用付属品をベース101に設けてもよい。このベース101には更に、側壁146が備えられ、使用時において着用者の手の上のインターフェース102の安定性を補助するようになっている。各指グリップ104a−dには更に、実質的に三角形の突起148（明確にするため、１つのみ符号を記す）が設けられていて、これは手袋102をベースステーション又はハウジング（例えば、図５に示す）に装着する場合に使用される。
【００９６】
使用時において、手袋102のベース101は、着用者の少なくとも手の平部分を覆うように設計され、これは指をカールした状態とすることにより快適に近づくことができる。これにより単に握りこぶしを形成するように握り締めることにより吸収力のあるクリーニング作業媒体を効果的に搾り出すことが確実に行われる。この媒体の他のタイプのものも手袋102の他の部位に、本体102の周辺および／又は手全体によりカバーされる領域まで延出させて取着させることができる。
【００９７】
図７a（図６aの部材112dの平面図を基本的に示している）および図7bは手袋様インターフェース（接続部）202の１つの指の指グリップ手段204（図7ａ、上面図）と、ベースステーション238のパーキング部材240a、240b（図7b、平面図）との間の“ドッキング相互作用”を詳細に示している。ケージ様指グリップ手段204には側方装着突起248a、248bが設けられ、これらはベースステーション238のパーキング部材240a、240bと係合するように形成されている。より詳細には、このパーキング部材240a、240bは外側に湾曲する装着レールを有し、着用者の指が指グリップ手段204をベースステーション238に向けて押し込んだとき、指グリップ手段204が開かれ、着用者の指を解放し、手袋202の指をこのレール付パーキング部材240a、240b中に“パーキング”させる（落ち着かせる）。使用時において、指を挿入し、レール240a、240bから離れて前方に駆動させることにより、この手袋202は再び、着用者の手と自動的に結合することになる。
【００９８】
図8aおよび図8bは手袋様インターフェース302の１つの指の指グリップ手段304（図8ａは上面図を、図8bは指先端部の側面図を示す）と、ベースステーション338の舌片状パーキング部材340との間の“ドッキング相互作用”を詳細に示している。指グリップ手段304はバネ仕掛けのケージ構造（図8aの耳形部材）をなし、これが頂部装着突起348と係合するようになっている。この突起348はベースステーション338の舌片様パーキング部材340と係合されるようになっている。より詳細には、着用者の指がバネ仕掛けケージ304をベースステーション338のテーパー状舌片様パーキング部材340に向けて押し込んだとき、バネ仕掛けケージ304が開かれ、着用者の指を解放し、手袋302の指を “パーキング”させる。使用時において、指をケージ304に挿入し、舌片様パーキング部材340から離れて前方に駆動させることにより、この手袋302は再び、着用者の手と自動的に結合することになる。
【００９９】
ここで、手袋を、図7aおよび図7bおよび図8aおよび図8bのドッキング型相互作用が関連する手袋の指の1又は多くについて生じるように成形することもできることを理解されたい。好ましくは、手袋の全ての指がベースステーションでパーキングされ、このベースステーションが、手袋‐ベースステーション相互作用が容易になされるように適当に離間したパーキング部材を有するものとする。
【０１００】
図9aおよび図9bは、手袋（図9に示されていない）の握りこぶしにより把持されるよう形成されたひれ付バー450を示している。このひれ付バー450は中心バー452に装着された複数のひれ454（明確にするため、１つのみ符号を記す）を有する。使用時において、手袋を装着した作業者の手がこのひれ付バー450を握り、良好な搾り出しを行うことを可能している。
【０１０１】
本明細書中の記載は本発明を単に説明するためのものであり、種々の変更、変形、改良が可能であることを理解されるべきである。
【０１０２】
この記載および請求の範囲を含むこの出願は後の出願の優先権のためのベースとなり得るものである。そのような後願の請求項はここに記載の特徴又はその組合せに向けることができよう。それらは製品、方法又は用途の形をとることができ、かつ、実施例として、限定を含むことなしに、以下の請求の範囲の1又はそれ以上を含むことができる。
【図面の簡単な説明】
【０１０３】
【図１】指支持手段と、手の平支持手段とを含む、本発明に係わる手袋を示す図。
【図２】指支持手段および手の平支持手段を除いた状態の図1の手袋を示す図。
【図３】本発明による指支持手段を示す図。
【図４】本発明による手の平支持手段を示す図。
【図５】本発明に係わる手袋のためのハウジング又はベースステーションを示す図。
【図６ａ】本発明に係わる第２の手袋の側面を示す図。
【図６ｂ】図６aに示す本発明に係わる第２の手袋のＡ−Ａ’線に沿う横断面図。
【図６ｃ】図６aに示す本発明に係わる第２の手袋の背面図。
【図６ｄ】図６aに示す本発明に係わる第２の手袋での使用に適した手の平支持手段を示す図。
【図７ａ】図６aの部材112dに基本的に相当する部分を拡大して示す図。
【図７ｂ】ベースステーションのパーキングステーション（図7ｂの上面図）を示すもので、特にそれと手袋の指支持手段（図7ａの上面図）との間の“ドッキング相互作用”を説明するための図。
【図８ａ】指先端部でケージ全体が開閉され、このケージが頂部装着突起を有している状態を説明する指先ケージを示す図。
【図８ｂ】指先端部でケージ全体が開閉され、このケージが頂部装着突起を有している状態を説明する指先ケージを示すと共に、指先ケージを開口させるためのベースステーションの締め付け構造を示す図。
【図９ａ】手袋により把持される形状のひれ付バーの側面を示す図。
【図９ｂ】手袋により把持される形状のひれ付バーの横断面図。
【符号の説明】
【０１０４】
２    手袋、
４    指グリップ、
６    手の平ヨーク、
８    Ｖ型切欠部、
１０  指状延出部、
１２  シンブル状末端部、
１４  ブリッジ部、
１８  本体、
２０  円形窪み、
３２  アーム、
３４  肩部、
３６  グリップ部。
【図１】
2004528902.tif 000003
【図２】
2004528902.tif 000004
【図３】
2004528902.tif 000005
【図４】
2004528902.tif 000006
【図５】
2004528902.tif 000007
【図６ａ】
2004528902.tif 000008
【図６ｂ】
2004528902.tif 000009
【図６ｃ】
2004528902.tif 000010
【図６ｄ】
2004528902.tif 000011
【図７ａ】
2004528902.tif 000012
【図７ｂ】
2004528902.tif 000013
【図８ａ】
2004528902.tif 000014
【図８ｂ】
2004528902.tif 000015
【図９ａ】
2004528902.tif 000016
【図９ｂ】
2004528902.tif 000017
【国際公開パンフレット】
2004528902.tif 000018
2004528902.tif 000019
2004528902.tif 000020
2004528902.tif 000021
2004528902.tif 000022
2004528902.tif 000023
2004528902.tif 000024
2004528902.tif 000025
2004528902.tif 000026
2004528902.tif 000027
2004528902.tif 000028
2004528902.tif 000029
2004528902.tif 000030
2004528902.tif 000031
2004528902.tif 000032
2004528902.tif 000033
2004528902.tif 000034
2004528902.tif 000035
2004528902.tif 000036
2004528902.tif 000037
2004528902.tif 000038
2004528902.tif 000039
2004528902.tif 000040
2004528902.tif 000041
2004528902.tif 000042
2004528902.tif 000043
2004528902.tif 000044
2004528902.tif 000045
2004528902.tif 000046
2004528902.tif 000047
2004528902.tif 000048
2004528902.tif 000049
2004528902.tif 000050
2004528902.tif 000051
2004528902.tif 000052
2004528902.tif 000053
2004528902.tif 000054
【国際調査報告】
2004528902.tif 000055
2004528902.tif 000056
2004528902.tif 000057